(57)【要約】      （修正有）【課題】寝たきり患者の起き上がりを補助し、腕力の増強を図る起き上がり補助具を提供する。【解決手段】長手方向を有する支持フレーム２、４と、支持フレーム間に掛け渡し状に支持された複数の把持棒６と、から起き上がり補助具１を構成する。把持棒は、支持フレームの円弧形状部２ａ、４ａから支持フレームの直線状部２ｂ、４ｂに亘って配置される。円弧形状部に配置された把持棒のいくつかは、仰向けに寝た状態の患者Ｍが把持することが可能な高さに配置されている。また、直線状部に配置された把持棒は、患者Ｍが座位の姿勢のまま上方に伸ばした手で把持することが可能な高さに配置されている。患者Ｍは、懸垂の要領および雲梯の要領で、把持棒を順に持ち替える動作を行うのみで、座位の姿勢まで体位変換することができる。【選択図】図２
0003232530.tif 000002
【実用新案登録請求の範囲】
【請求項１】
仰向けに寝た患者が上半身を起こす際の起き上がり動作を補助する起き上がり補助具であって、
仰向けに寝た状態の前記患者が把持可能な位置に配置される第１把持棒と、
該第１把持棒に関して、水平方向かつ該第１把持棒の延在方向に直交する方向である第１方向にずれた位置であって、該第１把持棒よりも鉛直方向に高い位置において、前記第１把持棒と平行に配置された第２把持棒と、
前記第１および第２把持棒の各両端を支持可能に前記第１方向に延在する一対の支持フレームと、
を備える起き上がり補助具。
【請求項２】
前記一対の支持フレームは、前記第１および第２把持棒の延在方向の一方側から見たときの形状が、円弧形状を有する第１部分と、該第１部分の一端から一体に前記第１方向に延在する直線形状を有する第２部分と、を有しており、
前記第１および第２把持棒は、前記第１部分に配置されている
請求項１に記載の起き上がり補助具。
【請求項３】
前記第１および第２把持棒に平行となるよう前記第２部分に両端が支持された少なくとも１つの第３把持棒をさらに備え、
前記第２部分は、上半身を起こした前記患者が前記鉛直方向の上方に向かって手を伸ばしたときの該手の高さに配置されており、
前記第３把持棒は、前記第２部分に配置されている
請求項２に記載の起き上がり補助具。
【考案の詳細な説明】
【技術分野】
【０００１】
本考案は、に関するものである。
【背景技術】
【０００２】
特開平９−２５３１３７号公報（特許文献１）には、ループ帯を寝たきり患者の背中の身長方向に敷くと共に、当該ループ帯の内側であって、首部辺りにエアバックを配置し、当該エアバックを膨張させることで寝たきり患者の上半身を持ち上げて起こすように構成された起き上がり補助具が記載されている。
【０００３】
当該起き上がり補助具は、首部辺りにエアバックを配置すると共に、当該エアバックに空気を供給するのみという簡易な構成で、寝たきりの患者を起き上がらせることができる。
【先行技術文献】
【特許文献】
【０００４】
【特許文献１】特開平９−２５３１３７号公報
【考案の概要】
【考案が解決しようとする課題】
【０００５】
しかしながら、上述した公報に記載の起き上がり補助具は、看護者や介護者の労力の低減を図ることができるものの、当該寝たきりの患者の筋力の低下を招いてしまい、寝たきりからの回復という観点において、なお改良の余地がある。ここで、少なくとも腕力の低下を防ぐと共に、腕力の増強を図ることができれば、寝たきりの患者は、這ってでも移動することができ、これによって気力の向上を図ることができる。したがって、腕力の増強を図ることは、寝たきり患者にとって非常に重要なことである。
【０００６】
本考案は、上記に鑑みてなされたものであり、寝たきり患者の起き上がりを補助可能であると共に、腕力の増強を図ることができる起き上がり補助具を提供することを目的の一つとする。
【課題を解決するための手段】
【０００７】
本考案に係る起き上がり補助具の好ましい形態によれば、仰向けに寝た患者が上半身を起こす際の起き上がり動作を補助する起き上がり補助具が構成される。当該起き上がり補助具は、第１把持棒と、第２把持棒と、一対の支持フレームと、を備えている。第１把持棒は、仰向けに寝た状態の患者が把持可能な位置に配置される。第２把持棒は、第１把持棒に関して、水平方向かつ当該第１把持棒延在方向に直交する方向である第１方向にずれた位置であって、第１把持棒よりも鉛直方向に高い位置において、第１把持棒と平行に配置される。一対の支持フレームは、第１および第２把持棒の各両端を支持可能に第１方向に延在している。
【０００８】
本考案によれば、患者は、仰向けに寝たまま第１把持棒を把持し、懸垂の要領（第１把持棒を身体に引き寄せる要領）で上半身を僅かに起こすと共に、雲梯の要領で第１把持棒を把持した手を当該第１把持棒から第２把持棒に持ち替える動作を行うことによって、仰向けに寝た状態から座位の姿勢まで、容易に体位変換することができる。なお、第１把持部および第２把持部を把持する際に、患者は懸垂および雲梯の動作を行うため、腕力を鍛えることができる。これにより、患者の腕力が増強され、以て患者は這って移動することもできるようになる。この結果、患者の気力の向上も図ることができる。
【０００９】
本考案に係る起き上がり補助具の更なる形態によれば、一対の支持フレームは、第１および第２把持棒の延在方向の一方側から見たときの形状が、円弧形状を有する第１部分と、当該第１部分の一端から連続的に第１方向に延在する直線形状を有する第２部分と、を有している。そして、第１および第２把持棒は、第１部分に配置されている。
【００１０】
本形態によれば、第１把持棒に関して、第１方向にずれた位置であって、第１把持棒よりも鉛直方向に高い位置に第２把持棒を配置する構造を容易に実現することができる。
【００１１】
本考案に係る起き上がり補助具の更なる形態によれば、第１および第２把持棒に平行となるように、第２部分に両端が支持された少なくとも１つの第３把持棒をさらに備えている。第２部分は、上半身を起こした患者が鉛直方向の上方に向かって手を伸ばしたときの当該手の高さに配置されている。そして、第３把持棒は、第２部分に配置されている。
【００１２】
本形態によれば、患者は、座位の姿勢まで確実に上半身を起こすことができる。しかも、第３把持部を複数有する場合には、当該複数の第３把持部を順に持ち替えていくことで、座位のまま移動することが容易にできる。
【考案の効果】
【００１３】
本考案によれば、寝たきり患者の起き上がりを補助可能であると共に、腕力の増強を図ることができる。
【図面の簡単な説明】
【００１４】
【図１】本考案の実施の形態に係る起き上がり補助具１の構成の概略を示す斜視図である。
【図２】本考案の実施の形態に係る起き上がり補助具１を、把持棒６の延在方向の一方側から見た場合の側面図である。
【図３】本考案の実施の形態に係る起き上がり補助具１を、上方から見た平面図である。
【図４】仰向けに寝た状態の患者Ｍが把持棒６を把持した様子を示す説明図である。
【図５】患者Ｍが、懸垂の要領で、把持した把持棒６を身体に引き寄せるようにして上半身を僅かに起こした状態を示す説明図である。
【図６】患者Ｍが、雲梯の要領で、把持した把持棒６を順に持ち替える際の様子を示す説明図である。
【図７】患者Ｍが、雲梯の要領で、把持した把持棒６を順に持ち替える際の様子を示す説明図である。
【図８】患者Ｍが、雲梯の要領で、把持した把持棒６を順に持ち替える際の様子を示す説明図である。
【図９】患者Ｍが座位の姿勢まで体位変換を完了した様子を示す説明図である。
【図１０】患者Ｍが、雲梯の要領で、座位の姿勢のまま移動する様子を示す説明図である。
【考案を実施するための形態】
【００１５】
次に、本考案を実施するための最良の形態を実施例を用いて説明する。
【実施例】
【００１６】
本実施の形態に係る起き上がり補助具１は、図１に示すように、長手方向（図１の左右方向）を有する一対の支持フレーム２，４と、当該支持フレーム２，４間に掛け渡し状に支持された複数の把持棒６，６，６，・・・と、を備えている。
【００１７】
一対の支持フレーム２，４は、図２に示すように、把持棒６，６，６，・・・の延在方向（図２の紙面に垂直な方向）の一方側から見たときの形状が、円弧形状を有する円弧形状部２ａ，４ａと、当該円弧形状部２ａ，４ａの一方の端部２０ａ，４０ａから水平方向に直線状に延在する直線状部２ｂ，４ｂと、直線状部２ｂ，４ｂの一方の端部２２ａ，４２ａから鉛直下方に延在する脚部８ａ，８ｂと、を有している。換言すれば、円弧形状部２ａ，４ａおよび直線状部２ｂ，４ｂは、端部２０ａ，４０ａと端部２２ｂ，４２ｂとにおいて接続されているということができる。円弧形状部２ａ，４ａは、本考案における「第１部分」に対応し、直線状部２ｂ，４ｂは、本考案における「第２部分」に対応する実施構成の一例である。
【００１８】
円弧形状部２ａ，４ａは、図１に示すように、端部２０ｂ，４０ｂから端部２０ａ，４０ａに向かって上り傾斜を有している。円弧形状部２ａ，４ａの端部２０ｂ，４０ｂには、載置棒１０が固定されている。載置棒１０は、一対の支持フレーム２，４間の距離よりも長い長さを有している。
【００１９】
載置棒１０から円弧形状部２ａ，４ａの端部２０ａ，４０ａまでの高さ、および、載置棒１０から直線状部２ｂ，４ｂまでの高さは、患者Ｍが座位の姿勢で手を上方に伸ばしたときの当該手の高さとほぼ同じとなるように設定されている。換言すれば、直線状部２ｂ，４ｂに支持された把持棒６，６，６，・・・は、起き上がり補助具１を上方から見たときの仮想投影面上における当該起き上がり補助具１の投影領域内に患者Ｍが収まるように当該起き上がり補助具１が配置されたときに（図３参照）、当該患者Ｍが座位の姿勢のまま上方に伸ばした手で把持することが可能な高さに配置されているということができる（図２参照）。
【００２０】
把持棒６，６，６，・・・は、図１に示すように、円弧形状部２ａ，４ａから直線状部２ｂ，４ｂに亘って配置されている。把持棒６，６，６，・・・は、各々が平行となるように配置されている。円弧形状部２ａ，４ａに配置された把持棒６，６，６，・・・のうち、端部２０ｂ，４０ｂ寄りに配置された把持棒６，６，６，・・・は、比較的低い位置に配置されるため、起き上がり補助具１を上方から見たときの仮想投影面上における当該起き上がり補助具１の投影領域内に患者Ｍが収まるように当該起き上がり補助具１が配置されたときに（図３参照）、仰向けに寝た状態の患者Ｍが手を伸ばすことで、仰向けに寝た状態のままで端部２０ｂ，４０ｂ寄りに配置された把持棒６，６，６，・・・のいずれかを把持することができる。換言すれば、端部２０ｂ，４０ｂ寄りに配置された把持棒６，６，６，・・・のいずれかは、仰向けに寝た状態の患者Ｍが把持することが可能な高さに配置されているということができる。円弧形状部２ａ，４ａに配置された把持棒６，６，６，・・・であって、仰向けに寝た状態の患者Ｍが把持することが可能な高さに配置された把持棒６は、本考案における「第１把持棒」に対応し、当該把持棒６に隣接配置された他の把持棒６であって、把持棒６よりも高い位置に配置された他の把持棒６は、本考案における「第２把持棒」に対応する実施構成の一例である。
【００２１】
脚部８ａ，８ｂの直線状部２ｂ，４ｂが接続された端部とは反対側の端部には、図１に示すように、載置片８０ａ，８０ｂが一体に設けられている。載置片８０ａ，８０ｂは、互いに反対側に向かって延在している。直線状部２ｂ，４ｂから載置片８０ａ，８０ｂまでの高さと、直線状部２ｂ，４ｂから載置棒１０までの高さと、は同じに設定されている。これにより、直線状部２ｂ，４ｂは、水平に延在する。
【００２２】
次に、こうして構成された実施例の起き上がり補助具１を用いて、仰向けに寝た患者Ｍが座位の姿勢まで体位変換する際の動作について説明する。まず、起き上がり補助具１を上方から見たときの仮想投影面上における当該起き上がり補助具１の投影領域内に、仰向けに寝た状態の患者が収まるように、当該起き上がり補助具１を配置する。
【００２３】
患者Ｍは、図４に示すように、仰向けに寝た状態のまま手を伸ばして、円弧形状部２ａ，４ａに配置された把持棒６，６，６，・・・のいずれかを把持する。続いて、患者Ｍは、図５に示すように、懸垂の要領で、把持した把持棒６を身体に引き寄せるようにして上半身を僅かに起こすと共に、図６に示すように、雲梯の要領で、把持した当該把持棒６に隣接配置された把持棒６であって、把持した当該把持棒６よりも高い位置に配置された把持棒６に持ち替える動作を実行する。当該動作を繰り返しながら（図７ないし図９参照）、患者Ｍは、座位の姿勢に体位を変換することができる。
【００２４】
そして、仰向けに寝た状態から座位の姿勢に体位変換した患者Ｍは、図１０に示すように、さらに雲梯の要領で直線状部２ｂ，４ｂに配置された把持棒６，６,６，・・・を順に持ち替える動作を繰り返すことで、座位の姿勢のまま移動することができる。
【００２５】
このように、仰向けに寝た状態の患者Ｍは、懸垂の要領および雲梯の要領で、把持棒６，６，６，・・・を順に持ち替える動作を行うのみで、仰向けに寝た状態から座位の姿勢まで容易に体位変換することができる。このとき、患者Ｍは、懸垂運動および雲梯運動を行うため、腕力を鍛えることができる。これにより、患者Ｍの腕力が増強され、以て患者Ｍは這って移動することもできるようになる。この結果、患者Ｍの気力も向上する。
【００２６】
本実施形態は、本考案を実施するための形態の一例を示すものである。したがって、本考案は、本実施形態の構成に限定されるものではない。
【符号の説明】
【００２７】
１            起き上がり補助具（起き上がり補助具）
２            支持フレーム（支持フレーム）
２ａ          円弧形状部（第１部分）
２ｂ          直線状部（第２部分）
４            支持フレーム（支持フレーム）
４ａ          円弧形状部（第１部分）
４ｂ          直線状部（第２部分）
６            把持棒（第１把持棒、第２把持棒）
８ａ          脚部
８ｂ          脚部
２０ａ        端部
２０ｂ        端部
２２ａ        端部
２２ｂ        端部
４０ａ        端部
４０ｂ        端部
４２ａ        端部
４２ｂ        端部
８０ａ        載置片
８０ｂ        載置片
Ｍ            患者
【図１】
0003232530.tif 000003
【図２】
0003232530.tif 000004
【図３】
0003232530.tif 000005
【図４】
0003232530.tif 000006
【図５】
0003232530.tif 000007
【図６】
0003232530.tif 000008
【図７】
0003232530.tif 000009
【図８】
0003232530.tif 000010
【図９】
0003232530.tif 000011
【図１０】
0003232530.tif 000012